(57)【特許請求の範囲】
【請求項１】
収納袋（Ｐ）の上縁内面（３）に、相互に係合する第１ファスナ半体（１）・第２ファスナ半体（２）を溶着して、上記第１ファスナ半体（１）の第１係合部（22）と上記第２ファスナ半体（２）の第２係合部（23）から成る帯状の係合部（13）を形成し、かつ、上記第１ファスナ半体（１）・第２ファスナ半体（２）を開閉させるスライダ（８）を設けた収納袋の密封開閉構造に於て、
上記スライダ（８）は、上記第１係合部（22）と第２係合部（23）を離脱させる短柱状垂下部（11）を、有し、該短柱状垂下部（11）の横断面形状は、上下各位置において同一形状であって、かつ、該短柱状垂下部（11）の下端（12）は、上記係合部（13）の上端縁（13ａ）よりも常に上方位置にあって上記スライダ（８）が左右スライド可能とされ、かつ、上記短柱状垂下部（11）は、上記係合部（13）の上記上端縁（13ａ）と収納袋最上端縁（24）との間に形成されている上縁帯状部（25）の両内面（26）を接触状態で押広げて、上記第１係合部（22）と第２係合部（23）を離脱させるように、構成し、
さらに、上記収納袋最上端縁（24）と一側縁（27）によって形成されたファスナ閉鎖側角部（28）における上記第１ファスナ半体（１）と第２ファスナ半体（２）を係合状態に導く局部的溶着部（15Ａ）を形成し、
該局部的溶着部（15Ａ）を、上記係合部（13）の閉鎖側端部（14）の下方近傍に、かつ、上記係合部（13）と離間して、上記係合部（13）の長手方向に沿って一文字型に形成し、さらに、上記局部的溶着部（15Ａ）の左右方向寸法を、上記スライダ（８）の左右方向寸法と略同一に設定し、
かつ、該局部的溶着部（15Ａ）と上記収納袋（Ｐ）の側縁溶着部（21）にて、上記ファスナ閉鎖側角部（28）に、閉鎖側端部（14）にスライドした上記短柱状垂下部（11）を収納するポケット部（29Ａ）を形成し、該ポケット部（29Ａ）内にある上記短柱状垂下部（11）の押広げ力（Ｆ）を抑制するように構成したことを特徴とする収納袋の密封開閉構造。
【請求項２】
収納袋（Ｐ）の上縁内面（３）に、相互に係合する第１ファスナ半体（１）・第２ファスナ半体（２）を溶着して、上記第１ファスナ半体（１）の第１係合部（22）と上記第２ファスナ半体（２）の第２係合部（23）から成る帯状の係合部（13）を形成し、かつ、上記第１ファスナ半体（１）・第２ファスナ半体（２）を開閉させるスライダ（８）を設けた収納袋の密封開閉構造に於て、
上記スライダ（８）は、上記第１係合部（22）と第２係合部（23）を離脱させる短柱状垂下部（11）を、有し、該短柱状垂下部（11）の横断面形状は、上下各位置において同一形状であって、かつ、該短柱状垂下部（11）の下端（12）は、上記係合部（13）の上端縁（13ａ）よりも常に上方位置にあって上記スライダ（８）が左右スライド可能とされ、かつ、上記短柱状垂下部（11）は、上記係合部（13）の上記上端縁（13ａ）と収納袋最上端縁（24）との間に形成されている上縁帯状部（25）の両内面（26）を接触状態で押広げて、上記第１係合部（22）と第２係合部（23）を離脱させるように、構成し、
さらに、上記収納袋最上端縁（24）と一側縁（27）によって形成されたファスナ閉鎖側角部（28）における上記第１係合部（22）と第２係合部（23）を溶着した係合離脱殺し用の局部的溶着部（15Ｂ）を形成し、
該局部的溶着部（15Ｂ）の左右方向内端縁を、上記短柱状垂下部（11）が、上記第１ファスナ半体（１）と第２ファスナ半体（２）とから成るファスナ（４）の閉鎖側に移動した状態に於ける該短柱状垂下部（11）の左右方向内端縁よりも、左右方向外側に配設し、
さらに、該局部的溶着部（15Ｂ）と上記収納袋（Ｐ）の側縁溶着部（21）にて、上記ファスナ閉鎖側角部（28）に、上記一側縁（27）側にスライドした上記短柱状垂下部（11）を収納するポケット部（29Ｂ）を形成し、該ポケット部（29Ｂ）内にある上記短柱状垂下部（11）の押広げ力（Ｆ）を抑制するように構成したことを特徴とする収納袋の密封開閉構造。
【発明の詳細な説明】
【技術分野】
【０００１】
本発明は、収納袋の密封開閉構造に関する。
【背景技術】
【０００２】
従来、ファスナとスライダによって開閉する収納袋の密封開閉構造は、スライダの分離用突起部がファスナの雄部と雌部の間に差込まれて、ファスナの長手方向にスライドさせることによりファスナを開くように構成されている（例えば、特許文献１参照）。
【先行技術文献】
【特許文献】
【０００３】
【特許文献１】特開２０１５−１２４００１号公報
【発明の概要】
【発明が解決しようとする課題】
【０００４】
しかし、特許文献１記載の収納袋の密封開閉構造は、図19及び図20に示すように、ファスナ40を開くための分離用突起部41の下端41ａが、ファスナ40の係合部46よりも下方位置に配設されている。即ち、分離用突起部41が、ファスナ40の雄部42と雌部43の間に差し込まれており、（スライダ44をスライドさせて）ファスナ40を閉じても、端部45に於て、雄部42と雌部43の間に分離用突起部41が差込まれているので、分離用突起部41が差し込まれている部分に隙間が生じ、完全に密封することができない（図19の矢印Ｊに示すような漏れを生じる）という問題がある。そこで、本発明は、完全に密封することができるスライダ構造を提供することを目的とする。
【課題を解決するための手段】
【０００５】
本発明に係る収納袋の密封開閉構造は、収納袋の上縁内面に、相互に係合する第１ファスナ半体・第２ファスナ半体を溶着して、上記第１ファスナ半体の第１係合部と上記第２ファスナ半体の第２係合部から成る帯状の係合部を形成し、かつ、上記第１ファスナ半体・第２ファスナ半体を開閉させるスライダを設けた収納袋の密封開閉構造に於て、上記スライダは、上記第１係合部と第２係合部を離脱させる短柱状垂下部を、有し、該短柱状垂下部の横断面形状は、上下各位置において同一形状であって、かつ、該短柱状垂下部の下端は、上記係合部の上端縁よりも常に上方位置にあって上記スライダが左右スライド可能とされ、かつ、上記短柱状垂下部は、上記係合部の上記上端縁と収納袋最上端縁との間に形成されている上縁帯状部の両内面を接触状態で押広げて、上記第１係合部と第２係合部を離脱させるように、構成し、さらに、上記収納袋最上端縁と一側縁によって形成されたファスナ閉鎖側角部における上記第１ファスナ半体と第２ファスナ半体を係合状態に導く局部的溶着部を形成し、該局部的溶着部を、上記係合部の閉鎖側端部の下方近傍に、かつ、上記係合部と離間して、上記係合部の長手方向に沿って一文字型に形成し、さらに、上記局部的溶着部の左右方向寸法を、上記スライダの左右方向寸法と略同一に設定し、かつ、該局部的溶着部と上記収納袋の側縁溶着部にて、上記ファスナ閉鎖側角部に、閉鎖側端部にスライドした上記短柱状垂下部を収納するポケット部を形成し、該ポケット部内にある上記短柱状垂下部の押広げ力を抑制するように構成したものである。
【０００６】
また、収納袋の上縁内面に、相互に係合する第１ファスナ半体・第２ファスナ半体を溶着して、上記第１ファスナ半体の第１係合部と上記第２ファスナ半体の第２係合部から成る帯状の係合部を形成し、かつ、上記第１ファスナ半体・第２ファスナ半体を開閉させるスライダを設けた収納袋の密封開閉構造に於て、上記スライダは、上記第１係合部と第２係合部を離脱させる短柱状垂下部を、有し、該短柱状垂下部の横断面形状は、上下各位置において同一形状であって、かつ、該短柱状垂下部の下端は、上記係合部の上端縁よりも常に上方位置にあって上記スライダが左右スライド可能とされ、かつ、上記短柱状垂下部は、上記係合部の上記上端縁と収納袋最上端縁との間に形成されている上縁帯状部の両内面を接触状態で押広げて、上記第１係合部と第２係合部を離脱させるように、構成し、さらに、上記収納袋最上端縁と一側縁によって形成されたファスナ閉鎖側角部における上記第１係合部と第２係合部を溶着した係合離脱殺し用の局部的溶着部を形成し、該局部的溶着部の左右方向内端縁を、上記短柱状垂下部が、上記第１ファスナ半体と第２ファスナ半体とから成るファスナの閉鎖側に移動した状態に於ける該短柱状垂下部の左右方向内端縁よりも、左右方向外側に配設し、さらに、該局部的溶着部と上記収納袋の側縁溶着部にて、上記ファスナ閉鎖側角部に、上記一側縁側にスライドした上記短柱状垂下部を収納するポケット部を形成し、該ポケット部内にある上記短柱状垂下部の押広げ力を抑制するように構成したものである。
【発明の効果】
【０００７】
本発明の収納袋の密封開閉構造によれば、ファスナを閉じた際、完全に密封することができる。
【図面の簡単な説明】
【０００８】
【図１】本発明の実施の一形態を示す正面図である。
【図２】図１のＡ−Ａ端面図である。
【図３】スライダの平面図である。
【図４】図３のＢ−Ｂ断面図である。
【図５】スライダの底面図である。
【図６】垂下片部を示す説明図であって、（Ａ）は斜視説明図、（Ｂ）は断面説明図である。
【図７】短柱状垂下部の変形例を示す断面図であって、（Ａ）は略正方形の断面図、（Ｂ）は略三角形の断面図、（Ｃ）は略五角形の断面図である。
【図８】完全密封状態を示す正面図である。
【図９】完全密封状態を示す要部拡大図である。
【図１０】図９のａ−ａ位置に対応する端面図である。
【図１１】図９のｂ−ｂ位置に対応する端面図である。
【図１２】内圧がかかった状態を示す要部拡大断面図である。
【図１３】簡略底面端面図である。
【図１４】図13のＥ−Ｅ位置に対応する端面図である。
【図１５】図13のＦ−Ｆ位置に対応する端面図である。
【図１６】図13のＧ−Ｇ位置に対応する端面図である。
【図１７】第２の実施の形態を示す要部拡大図である。
【図１８】第３の実施の形態のスライダを示す断面側面図である。
【図１９】従来例を示す簡略正面図である。
【図２０】図19のＺ−Ｚ端面拡大図である。
【発明を実施するための形態】
【０００９】
以下、図示の実施の形態に基づいて本発明を詳説する。
図１・図２は、本発明の実施の一形態を示す。この収納袋の密封開閉構造は、収納袋Ｐの上縁内面３に、相互に係合する第１ファスナ半体１・第２ファスナ半体２が溶着される。具体的には、収納袋Ｐは、収納空間Ｓを形成する第１シート部５と第２シート部７を、有する。そして、第１シート部５の上縁内面３Ａに第１ファスナ半体１が溶着されるとともに、第２シート部７の上縁内面３Ｂに第２ファスナ半体２が溶着されて、第１ファスナ半体１の第１係合部22と第２ファスナ半体２の第２係合部23から成る帯状の（雄雌）係合部13が形成される。
【００１０】
図１〜図５に示すように、第１ファスナ半体１・第２ファスナ半体２を開閉させるスライダ８が設けられる。スライダ８が、前壁部16と、後壁部17と、前壁部16と後壁部17の上部を連結する天井壁部18とを、有する。さらに、スライダ８が、係合部13の上端縁13ａと収納袋最上端縁24との間に形成されている（２つの）上縁帯状部25の間に挿入状に配設される垂下片部９を有する。垂下片部９は、図６（Ａ）及び図６（Ｂ）に示すような形状である。即ち、垂下片部９が、薄板片部10と、薄板片部10の閉鎖側に配設される短柱状垂下部11とを、有する。なお、本発明に於て、「閉鎖側」とは、ファスナ４が、全長にわたって閉じられた状態（図８参照）に於て、スライダ８が配設されている側（図１に於ては左側）を言うものとする。また、閉鎖側と逆方向を、「開放側」と言うものとする。
【００１１】
短柱状垂下部11の横断面形状は、略円形である。図６（Ｂ）に示すように、短柱状垂下部11の厚さ寸法をＷ1 とし、薄板片部10の厚さ寸法をＷ0 とすると、Ｗ1 ＞Ｗ0 に設定する。短柱状垂下部11は、開放側に、勾配面34を有する。勾配面34によって、ファスナ４をスムーズに開くことができる。
【００１２】
図１・図９・図14〜図16に示すように、短柱状垂下部11の下端12は、係合部13の上端縁13ａよりも常に上方（近傍）位置にあって左右スライド可能とされる。そして、スライダ８のいずれの部位も、ファスナ４の係合部13の高さ位置に於て、第１ファスナ半体１と第２ファスナ半体２の間に介在しない（差込まれない）。短柱状垂下部11は、係合部13の上端縁13ａと収納袋最上端縁24との間に形成されている上縁帯状部25の両内面26を接触状態で押広げて、第１係合部22と第２係合部23を離脱させる（即ち、ファスナ４を開く）ように、構成される。
【００１３】
図10・図14・図16に示すように、第１ファスナ半体１と第２ファスナ半体２の係合状態に於けるファスナ４の厚さ寸法をＷF とし、垂下片部９の短柱状垂下部11の厚さ寸法をＷ1 とすると、 1.5×ＷF ≦Ｗ1 ≦ 3.5×ＷF なる関係式が成立するように設定する。Ｗ1 ＜ 1.5×ＷF の場合、ファスナ４を開くことが難しくなる。 3.5×ＷF ＜Ｗ1 の場合、収納袋Ｐを完全密封状態とすることが難しくなる（即ち、後述のように短柱状垂下部11をファスナ閉鎖側角部28のポケット部29に収納することが困難である）。
【００１４】
図７（Ａ）に示すように、短柱状垂下部11の横断面形状を、略正方形として45°回転させた配置とするも良い。また、図７（Ｂ）に示すように、短柱状垂下部11の横断面形状を、略三角形とするも良い。また、図７（Ｃ）に示すように、短柱状垂下部11の横断面形状を、略五角形とするも良い。いずれも薄板片部10に向かって間隔が減少する勾配面34，34を有する。
【００１５】
前壁部16は、スライダ８の抜止用の第１突部19Ａを、下端に有する（図２・図５等参照）。後壁部17は、スライダ８の抜止用の第２突部19Ｂを、下端に有する。第１突部19Ａと第２突部19Ｂとの間隔距離寸法Ｌを、第１ファスナ半体１と第２ファスナ半体２の係合状態に於ける収納袋全体の厚さ寸法Ｔより小さく設定する。
【００１６】
閉鎖側に於ける前壁部16と後壁部17との（上下中間領域における）間隔距離寸法Ｌ0 （図16参照）を、ファスナ４の係合部13が離脱することを許容する寸法に設定する。
【００１７】
図２〜図５に示すように、前壁部16と後壁部17の各々は、第１ファスナ半体１又は第２ファスナ半体２を押圧してファスナ４を閉じるための押圧突部20を、スライド方向中間部ないし開放側に有する。具体的には、押圧突部20が、第１ファスナ半体１又は第２ファスナ半体２を押圧してファスナ４を閉じるための押圧面20Ａを有する。
【００１８】
第１ファスナ半体１及び第２ファスナ半体２のベース帯体30のうち係合部13より上側部分31を、収納袋最上端縁24と同一乃至近傍にまで延設して、収納袋Ｐの上縁部Ｐ1 に溶着一体化して上縁部Ｐ1 を補強し、短柱状垂下部11によって係合部13を離脱容易に構成した。
【００１９】
図８〜図11に示すように、収納袋最上端縁24と一側縁27によって形成されたファスナ閉鎖側角部28における第１ファスナ半体１と第２ファスナ半体２を係合状態に導く局部的溶着部15（15Ａ）を、係合部13の閉鎖側端部14の下方近傍に形成する。局部的溶着部15Ａと収納袋Ｐの側縁溶着部21にて、ファスナ閉鎖側角部28に、閉鎖側端部14にスライドした短柱状垂下部11を収納するポケット部29（29Ａ）が形成され、ポケット部29Ａ内にある短柱状垂下部11の押広げ力Ｆ（図11参照）を抑制するように構成される。なお、本発明に於て、「ポケット部内にある」及び「ポケット部に収納する」とは、（短柱状垂下部11の）ファスナ４の長手方向の半分以上がポケット部の中（内側）に存在することを指すものとする。
【００２０】
図12に示すように、第１ファスナ半体１は、上端縁１ａのみ第１シート部５に溶着されて、下端縁１ｂは第１シート部５に溶着されていない。第２ファスナ半体２は、上端縁２ａ及び下端縁２ｂの両方が、第２シート部７に溶着されている。収納空間Ｓに内圧がかかって、収納袋Ｐ（のファスナ４）が開こうとしても、第１ファスナ半体１（の下部）と第１シート部５とが（図12の如く）離間して、ファスナ４が開くことを防止することができる。
【００２１】
次に、ファスナ４の開閉について説明する。図13〜図16に示すように、スライダ８を図13の矢印Ｘ方向にスライドさせると、ファスナ４が開く。スライダ８を図13の矢印Ｙ方向にスライドさせると、ファスナ４が閉じる。
【００２２】
具体的には、スライダ８を図13の矢印Ｘ方向（開放方向）にスライドさせると、図15・図16に示すように、上縁帯状部25の両内面26が、短柱状垂下部11によって押広げられて離間する。スライダ８を図13の矢印Ｙ方向（閉鎖方向）にスライドさせると、図２に示すように、スライダ８の（前壁部16と後壁部17の）押圧突部20の押圧面20Ａによって、第１ファスナ半体１と第２ファスナ半体２とが、押圧されて、第１ファスナ半体１の第１係合部22と、第２ファスナ半体２の第２係合部23とが、係合する。
【００２３】
図８〜図11は、完全密封状態を示す。図10は、図９のａ−ａ位置（図５のａ−ａ位置）に対応する端面図である。図11は、図９のｂ−ｂ位置（図５のｂ−ｂ位置）に対応する端面図である。ファスナ４は、スライダ８の閉鎖側に於ても、係合状態である。即ち、短柱状垂下部11がファスナ４の係合部13よりも上方位置に配設されており、かつ、ポケット部29Ａ内にある短柱状垂下部11の押広げ力Ｆが抑制され、さらに、押圧突部20と側縁溶着部21との距離寸法Ｋが短いので、ファスナ４が端部まで完全に係合する。局部的溶着部15によって、ファスナ４が一層容易に係合する。
【００２４】
次に、第２の実施の形態について説明する。図17に示すように、収納袋最上端縁24と一側縁27によって形成されたファスナ閉鎖側角部28における第１係合部22（図２・図10・図11等参照）と第２係合部23を溶着した係合離脱殺し用の局部的溶着部15（15Ｂ）が形成される。局部的溶着部15Ｂと収納袋Ｐの側縁溶着部21にて、ファスナ閉鎖側角部28に、一側縁27側にスライドした短柱状垂下部11を収納するポケット部29（29Ｂ）が形成される。ポケット部29Ｂ内にある短柱状垂下部11の押広げ力を抑制するように構成される。その他の構成は、第１の実施の形態と同様である。
【００２５】
図18は、第３の実施の形態を示す。スライダ８が、前壁部16と後壁部17と天井壁部18を有する断面門型の第１部材32と、第１部材32の内側に長手方向から差込み状に嵌合するとともに上壁部36と短柱状垂下部11を有する断面Ｔ字状の第２部材33と、から成る。前壁部16と後壁部17の各々の内面に、第２部材33の上壁部36が差込まれる小凹溝35を有する。その他の構成は、第１の実施の形態と同様である。
【００２６】
なお、本発明は、設計変更可能であって、例えば、第１ファスナ半体１の上端縁１ａ及び下端縁１ｂの両方を、第１シート部５に溶着するとともに、第２ファスナ半体２の上端縁２ａ及び下端縁２ｂの両方を、第２シート部７に溶着するも良い。この場合、ファスナ４の開閉を容易に行うことができる。
【００２７】
以上のように、本発明は、収納袋Ｐの上縁内面３に、相互に係合する第１ファスナ半体１・第２ファスナ半体２を溶着して、上記第１ファスナ半体１の第１係合部22と上記第２ファスナ半体２の第２係合部23から成る帯状の係合部13を形成し、かつ、上記第１ファスナ半体１・第２ファスナ半体２を開閉させるスライダ８を設けた収納袋の密封開閉構造に於て、上記スライダ８は、上記第１係合部22と第２係合部23を離脱させる短柱状垂下部11を、有し、かつ、該短柱状垂下部11の下端12は、上記係合部13の上端縁13ａよりも常に上方位置にあって左右スライド可能とされ、かつ、上記短柱状垂下部11は、上記係合部13の上記上端縁13ａと収納袋最上端縁24との間に形成されている上縁帯状部25の両内面26を接触状態で押広げて、上記第１係合部22と第２係合部23を離脱させるように、構成したので、ファスナ４を端部まで完全に閉じることができる。即ち、収納袋Ｐを完全に密封することができる。そして、水などの液体を収納することもできて、液体が漏れることを防止できる。
【００２８】
また、上記収納袋最上端縁24と一側縁27によって形成されたファスナ閉鎖側角部28における上記第１ファスナ半体１と第２ファスナ半体２を係合状態に導く局部的溶着部15Ａを、上記係合部13の閉鎖側端部14の下方近傍に形成し、該局部的溶着部15Ａと上記収納袋Ｐの側縁溶着部21にて、上記ファスナ閉鎖側角部28に、閉鎖側端部14にスライドした上記短柱状垂下部11を収納するポケット部29Ａを形成し、該ポケット部29Ａ内にある上記短柱状垂下部11の押広げ力Ｆを抑制するように構成したので、収納空間Ｓに内圧がかかって、収納袋Ｐ（のファスナ４）が開こうとしても、ファスナ４が開くことを確実に防止することができる。即ち、一層完全な密封性を得ることができる。
【００２９】
また、上記収納袋最上端縁24と一側縁27によって形成されたファスナ閉鎖側角部28における上記第１係合部22と第２係合部23を溶着した係合離脱殺し用の局部的溶着部15Ｂを形成し、該局部的溶着部15Ｂと上記収納袋Ｐの側縁溶着部21にて、上記ファスナ閉鎖側角部28に、上記一側縁27側にスライドした上記短柱状垂下部11を収納するポケット部29Ｂを形成し、該ポケット部29Ｂ内にある上記短柱状垂下部11の押広げ力Ｆを抑制するように構成したので、収納空間Ｓに内圧がかかって、収納袋Ｐ（のファスナ４）が開こうとしても、ファスナ４が開くことを確実に防止することができる。即ち、一層完全な密封性を得ることができる。
【００３０】
また、上記第１ファスナ半体１及び第２ファスナ半体２のベース帯体30のうち上記係合部13より上側部分31を、上記収納袋最上端縁24と同一乃至近傍にまで延設して、上記収納袋Ｐの上縁部Ｐ1 に溶着一体化して該上縁部Ｐ1 を補強し、上記短柱状垂下部11によって上記係合部13を離脱容易に構成したので、上縁部Ｐ1 が破損することを防止することができるとともに、ファスナ４を容易に開くことができる。
【００３１】
また、上記スライダ８が、前壁部16と後壁部17と天井壁部18を有する断面門型の第１部材32と、該第１部材32の内側に長手方向から差込み状に嵌合するとともに上記短柱状垂下部11を有する断面Ｔ字状の第２部材33と、から成るので、スライダ８を容易に製作することができる。
【符号の説明】
【００３２】
１  第１ファスナ半体
２  第２ファスナ半体
３  上縁内面
４  ファスナ
８  スライダ
11  短柱状垂下部
12  下端
13  （雄雌）係合部
13ａ  上端縁
14  閉鎖側端部
15Ａ  局部的溶着部
15Ｂ  局部的溶着部
22  第１係合部
23  第２係合部
24  収納袋最上端縁
25  上縁帯状部
26  両内面
27  一側縁
28  ファスナ閉鎖側角部
29Ａ  ポケット部
29Ｂ  ポケット部
Ｆ  押広げ力
Ｐ  収納袋
【要約】
【課題】ファスナを閉じた際、完全に密封することができるファスナを提供する。
【解決手段】収納袋Ｐの上縁内面３に、相互に係合する第１ファスナ半体１・第２ファスナ半体２を溶着して、第１ファスナ半体１の第１係合部22と第２ファスナ半体２の第２係合部23から成る帯状の係合部13を形成する。第１ファスナ半体１・第２ファスナ半体２を開閉させるスライダ８を設ける。スライダ８は、第１係合部22と第２係合部23を離脱させる短柱状垂下部を、有する。短柱状垂下部の下端は、係合部13の上端縁13ａよりも常に上方位置にあって左右スライド可能とされる。短柱状垂下部は、係合部13の上端縁13ａと収納袋最上端縁24との間に形成されている上縁帯状部25の両内面26を接触状態で押広げて、第１係合部22と第２係合部23を離脱させるように、構成される。
【選択図】図２【図１】
0006746152.tif 000002
【図２】
0006746152.tif 000003
【図３】
0006746152.tif 000004
【図４】
0006746152.tif 000005
【図５】
0006746152.tif 000006
【図６】
0006746152.tif 000007
【図７】
0006746152.tif 000008
【図８】
0006746152.tif 000009
【図９】
0006746152.tif 000010
【図１０】
0006746152.tif 000011
【図１１】
0006746152.tif 000012
【図１２】
0006746152.tif 000013
【図１３】
0006746152.tif 000014
【図１４】
0006746152.tif 000015
【図１５】
0006746152.tif 000016
【図１６】
0006746152.tif 000017
【図１７】
0006746152.tif 000018
【図１８】
0006746152.tif 000019
【図１９】
0006746152.tif 000020
【図２０】
0006746152.tif 000021